(57)【要約】【課題】  屋根材の施工が行いやすく、断熱性能の低下を防止することができる屋根材の係止部材及び施工構造を提供する。【解決手段】  両側の山部半体と山部半体の間の谷部とを有する折板屋根の構成用の屋根材をタイトフレームに取り付けるための係止部材１１に関する。タイトフレームの脚部の表面に取り付けられ、上係止部４ａと屋根材の山部半体の裏面に突設した被係止部が係止される下係止部４ｂとから断面Ｖ字状に形成される。上係止部４ａと下係止部４ｂとの境界Ｍがアール面Ｒに形成されている。屋根材の被係止部をアール面Ｒで滑動しながら下係止部４ｂの下側に位置させることができる。【選択図】図１
2011153487.tif 000002
【特許請求の範囲】
【請求項１】
両側の山部半体と山部半体の間の谷部とを有する折板屋根の構成用の屋根材をタイトフレームに取り付けるための係止部材であって、タイトフレームの脚部の表面に取り付けられ、上係止部と屋根材の山部半体の裏面に突設した被係止部が係止される下係止部とから断面Ｖ字状に形成され、上係止部と下係止部との境界がアール面に形成されていることを特徴とする屋根材の係止部材。
【請求項２】
上係止部の基部から先端部に向かって長く形成されたリブ部が上係止部の上面に突設されて成ることを特徴とする請求項１に記載の屋根材の係止部材。
【請求項３】
上係止部に上固定片が、下係止部に下固定片がそれぞれ設けられ、固定具が挿入される固定孔が上固定片及び下固定片に形成され、タイトフレームの脚部の表面に設けられた凹所に挿入される補強部が固定孔の周囲に形成されて成ることを特徴とする請求項１又は２に記載の屋根材の係止部材。
【請求項４】
請求項１乃至３のいずれか１項に記載の係止部材がタイトフレームの脚部の表面に設けられ、屋根材の山部半体の裏面に突設した被係止部がアール面を滑動しながら下係止部の下側に位置されて係止されて成ることを特徴とする屋根材の施工構造。
【発明の詳細な説明】
【技術分野】
【０００１】
本発明は、屋根材を係止してタイトフレームに取り付けるための係止部材及びこれを用いた施工構造に関するものである。
【背景技術】
【０００２】
従来より、薄い金属板を折り曲げ加工等することにより形成される複数の屋根材を連結することにより、山部と谷部とが交互に連設された折板屋根を形成することが行われている。通常、屋根材はタイトフレームに取り付けて施工されるが、屋根材をタイトフレームに係止させて取り付けるものが提案されている（例えば、特許文献１参照）。
【０００３】
図１２（ａ）に示すものでは、屋根材Ａ’は谷部１’と一対の山部半体２’とで形成されており、各山部半体２’は谷部１’の側端部から斜め上方に突出されて形成されている。また、山部半体２’にはその一部を表面側に段状に屈曲して被係止部３’が形成されている。一方、タイトフレームＢ’には複数の支持山部１２’が連なって形成されており、支持山部１２’の外側面には係止部４’が突出して設けられている。そして、屋根材Ａ’をタイトフレームＢ’に上方から近づけ、山部半体２’を弾性変形させながら隣り合う支持山部１２’の間に嵌め込むと共に被係止部３’を係止部４’の下側に係止することによって、図１２（ｂ）に示すように、屋根材Ａ’をタイトフレームＢ’に取り付けることができるものである。
【先行技術文献】
【特許文献】
【０００４】
【特許文献１】特開２００１−１３２１７６号公報
【発明の概要】
【発明が解決しようとする課題】
【０００５】
しかし、従来の屋根材Ａ’では、被係止部３’が係止部４’を上側から下側へと乗り越える際に、山部半体２’を大きく弾性変形させなければならず、屋根材Ａ’のタイトフレームＢ’への取り付けに大きな労力が必要となって施工が行いにくいという問題があった。また、屋根材Ａ’に裏張り断熱材（例えば、ポリエチレン発泡体のペフ）を設けている場合には、裏張り断熱材が係止部４’で破損されて屋根の断熱性能が低下するおそれがあった。
【０００６】
本発明は上記の点に鑑みてなされたものであり、屋根材の施工が行いやすく、断熱性能の低下を防止することができる屋根材の係止部材及び施工構造を提供することを目的とするものである。
【課題を解決するための手段】
【０００７】
本発明の請求項１に係る屋根材Ａの係止部材１１は、両側の山部半体２と山部半体２の間の谷部１とを有する折板屋根の構成用の屋根材ＡをタイトフレームＢに取り付けるための係止部材１１であって、タイトフレームＢの脚部１２ｂの表面に取り付けられ、上係止部４ａと屋根材Ａの山部半体２の裏面に突設した被係止部３が係止される下係止部４ｂとから断面Ｖ字状に形成され、上係止部４ａと下係止部４ｂとの境界Ｍがアール面Ｒに形成されていることを特徴とするものである。
【０００８】
本発明の請求項２に係る屋根材Ａの係止部材１１は、請求項１において、上係止部４ａの基部から先端部に向かって長く形成されたリブ部４ｃが上係止部４ａの上面に突設されて成ることを特徴とするものである。
【０００９】
本発明の請求項３に係る屋根材Ａの係止部材１１は、請求項１又は２において、上係止部４ａに上固定片１１ａが、下係止部４ｂに下固定片１１ｂがそれぞれ設けられ、固定具２５が挿入される固定孔１７が上固定片１１ａ及び下固定片１１ｂに形成され、タイトフレームＢの脚部１２ｂの表面に設けられた凹所１２ｃに挿入される補強部１１ｃが固定孔１７の周囲に突設されて成ることを特徴とするものである。
【００１０】
本発明の請求項４に係る屋根材Ａの施工構造は、請求項１乃至３のいずれか１項に記載の係止部材１１がタイトフレームＢの脚部１２ｂの表面に設けられ、屋根材Ａの山部半体２の裏面に突設した被係止部３がアール面Ｒを滑動しながら下係止部４ｂの下側に位置されて係止されて成ることを特徴とするものである。
【発明の効果】
【００１１】
請求項１の発明では、屋根材の被係止部をアール面で滑動しながら下係止部の下側に位置させることができ、被係止部が係止部材を乗り越える際の労力を少なくすることができて屋根材の施工が行いやすくなるものである。また、屋根材の被係止部はアール面をスムーズに滑動するため、屋根材に裏張り断熱材が設けられていてもその破損を防止することができ、断熱性能の低下を防止することができるものである。
【００１２】
請求項２の発明では、リブ部により上係止部を補強することができ、風圧などの圧力がかかっても上係止部の変形を防止して屋根材を強固に取り付けることができるものであり、しかも、屋根材の被係止部をリブ部に接触させて滑動させることができ、被係止部が係止部材を乗り越える際の労力を少なくすることができて屋根材の施工が行いやすくなるものである。
【００１３】
請求項３の発明では、補強部で固定孔を補強することができ、風圧などの圧力がかかっても固定孔の変形や破損を防止してタイトフレームに強固に取り付けることができるものであり、しかも、補強部を凹所に係止することにより、タイトフレームへの取り付けの際の位置決めや屋根材の伸縮による転倒や抜け落ちを防止することができ、屋根材をタイトフレームに強固に取り付けることができるものである。
【００１４】
請求項４の発明では、屋根材の被係止部をアール面で滑動しながら下係止部の下側に位置させることができ、被係止部が係止部材を乗り越える際の労力を少なくすることができて屋根材の施工が行いやすくなるものである。また、屋根材の被係止部はアール面をスムーズに滑動するため、屋根材に裏張り断熱材が設けられていてもその破損を防止することができ、断熱性能の低下を防止することができるものである。
【図面の簡単な説明】
【００１５】
【図１】本発明の係止部材の実施の形態の一例を示し、（ａ）は斜視図、（ｂ）は断面図である。
【図２】本発明の係止部材を示し、（ａ）は背面図、（ｂ）は側面図、（ｃ）は正面図である。
【図３】本発明で用いる屋根材を示す一部の斜視図である。
【図４】本発明で用いる屋根材を示し、（ａ）は正面図、（ｂ）は平面図、（ｃ）は底面図、（ｄ）は右側面図、（ｅ）は左側面図である。
【図５】本発明で用いるタイトフレームを示し、（ａ）は正面図、（ｂ）は平面図、（ｃ）は底面図、（ｄ）は右側面図、（ｅ）は左側面図である。
【図６】本発明で用いる吊子を示し、（ａ）は正面図、（ｂ）は平面図、（ｃ）は底面図、（ｄ）は右側面図、（ｅ）は左側面図である。
【図７】本発明における屋根材の取り付け工程を示す断面図である。
【図８】本発明において、タイトフレームに屋根材を取り付けた状態を示す断面図である。
【図９】本発明の屋根材の施工構造の実施の形態の一例を示す断面図である。
【図１０】既存屋根の葺き替え工程を示し、（ａ）〜（ｄ）は断面図である。
【図１１】本発明の係止部材の実施の形態の他例を示す斜視図である。
【図１２】従来例を示し、（ａ）は屋根材の一部の斜視図、（ｂ）は施工状態を示す断面図である。
【発明を実施するための形態】
【００１６】
以下、本発明を実施するための形態を説明する。
【００１７】
図１（ａ）（ｂ）、図２（ａ）〜（ｃ）に示すように、係止部材１１は金属製で厚さ１．２〜５ｍｍ程度の帯材を折り曲げ加工等することによって形成されるものであって、上係止部４ａと下係止部４ｂとから断面Ｖ字状（横倒し状態の断面Ｖ字状）に形成される係止部４と、上係止部４ａの基部から上方に向かって突設される上固定片１１ａと、下係止部４ｂの基部から下方に向かって突設される下固定片１１ｂとを備えて形成されている。上係止部４ａの表面（上面）は上固定片１１ａの下端から前方に向かって下り傾斜して形成されており、上係止部４ａの表面と上固定片１１ａの表面（前面）との間の角度は、例えば、１２５〜１３５°に形成されている。また、下係止部４ｂの表面（下面）と下固定片１１ｂの表面（前面）との間の角度は、例えば、７０〜８０°に形成されている。係止部４の先部である上係止部４ａと下係止部４ｂとの境界Ｍの部分は表面が滑らかな円弧状の凸曲面であるアール面Ｒに形成されている。アール面Ｒの曲率半径は１〜４ｍｍとすることができるが、これに限定されるものではない。尚、係止部材１１は亜鉛めっき鉄板などの耐食性の高い金属材料で形成することができる。
【００１８】
また、係止部材１１には一対のリブ部４ｃが形成されている。リブ部４ｃは上固定片１１ａの上部から上係止部４ａの基部を通って上係止部４ａの先端部の境界Ｍの部分にまで達するように細長く形成され、一対のリブ部４ｃは略平行に形成されている。リブ部４ｃは上固定片１１ａ及び上係止部４ａにプレス加工等を施すことにより表面に例えば２ｍｍ程度突出して形成されており、上固定片１１ａ及び上係止部４ａの裏面にはリブ部４ｃに対応する位置に凹みが形成されている。
【００１９】
また、上固定片１１ａ及び下固定片１１ｂには表裏に貫通する固定孔１７が形成されている。上固定片１１ａに設けた固定孔１７は一対のリブ部４ｃの間に形成されている。また、固定孔１７は、上固定片１１ａ及び下固定片１１ｂに表面からプレス加工等を施すことにより上固定片１１ａ及び下固定片１１ｂの裏面（後面）に例えば１ｍｍ程度突出する補強部１１ｃを形成し、補強部１１ｃの底面に貫通孔を設けることにより形成することができる。従って、上固定片１１ａ及び下固定片１１ｂの裏面において、固定孔１７の周縁部には補強部１１ｃが形成されている。
【００２０】
本発明の係止部材１１は屋根材（折板屋根材）ＡをタイトフレームＢに係止して取り付ける際に用いることができる。
【００２１】
屋根材Ａは薄い金属板を折り曲げ加工等することにより長尺に形成されるものであって、その金属板としては亜鉛めっき鋼板、塗装鋼板、ガルバリウム鋼板（登録商標）などを用いることができ、また、金属板の厚みとしては０．５〜１．２ｍｍのものを用いることができるが、これに限定されるものではない。
【００２２】
図３及び図４（ａ）〜（ｅ）に示すように、屋根材Ａは、谷部１と、谷部１の両側端部に設けた一対の山部半体２とで断面略Ｕ字状に形成されている。谷部１は中央平面部１ａと、その両側に設けた底リブ部１ｂと、底リブ部１ｂの側方に延設される側方平面部１ｃとで形成されている。底リブ部１ｂは中央平面部１ａの側端部から外側方に向かって斜め上方に突設されており、その底リブ部１ｂの先端に側方平面部１ｃが外側方に向かって突設されている。従って、中央平面部１ａは側方平面部１ｃよりも低位置（裏面側）に形成されており、雨水が側方平面部１ｃから中央平面部１ａに向かって底リブ部１ｂ上を通じて流れやすい構造に形成されており、雨水のさかのぼり現象を防止して排水性を高めることができる。また、底リブ部１ｂは屋根材Ａの長手方向の全長にわたって形成されており、谷部１の補強としても作用するものであり、気温変化により谷部１に歪みや変形が生じるのを防止することができるものである。尚、底リブ部１ｂと側方平面部１ｃの各幅寸法（屋根材Ａの長手方向と直交する方向の寸法）は特に限定されないが、一つの底リブ部１ｂの幅寸法は谷部１の幅寸法の３〜７％、一つの側方平面部１ｃの幅寸法は谷部１の幅寸法の１５〜２５％にすることができる。
【００２３】
山部半体２は、谷部１の側方平面部１ｃの側端部から外側方に向かって斜め上方に突設される基部２ａと、基部２ａの上端から山部半体２の表面側に向かって突設される被係止部３と、被係止部３の先端から外側方に向かって斜め上方に突設されるバネ片部２ｂと、バネ片部２ｂの上端から外側方に向かって斜め上方に突設される支持部２ｃと、支持部２ｃの上端から外側方に向かって斜め上方に突設される頂部２ｄとを備えて形成されている。また、一方の山部半体２には頂部２ｄの先端から上方に向かって断面略逆Ｌ字状の下ハゼ部２ｅが突設されていると共に、他方の山部半体２には頂部２ｄの先端から上方に向かって断面略逆Ｕ字状の上ハゼ部２ｆが突設されている。尚、上ハゼ部２ｆ及び下ハゼ部２ｅは角ハゼや丸ハゼなどの任意の形状に形成することができる。
【００２４】
上記の山部半体２において、バネ片部２ｂと支持部２ｃとは傾斜角度がやや異なり、支持部２ｃの方がバネ片部２ｂよりも水平に対して急角度に形成されている。従って、山部半体２の上下方向の略中央部において、バネ片部２ｂと支持部２ｃの境界部分は裏面側（外側方）に向かって凸曲されており、この部分が補強リブ部５として形成されている。そして、バネ片部２ｂは支持部２ｃよりも山部半体２の表面側にやや傾いて位置することになり、バネ片部２ｂが支持部２ｃと直線上に形成される場合に比べて、補強リブ部５を支点として上下方向に弾性的に変形しやすくなっている。また、補強リブ部５は屋根材Ａの長手方向の全長にわたって形成されており、山部半体２の補強としても作用するものであり、気温変化により山部半体２に歪みや変形が生じるのを防止することができるものである。また、山部半体２の上下方向の略中央部に補強リブ部５の屈曲部分が形成されることになり、デザイン性を向上させることができる。屋根材Ａの裏面全面には断熱性の向上のためにポリエチレンやウレタンフォームなどの樹脂発泡体やグラスウールなどの無機繊維材等を裏張り断熱材４０として設けることができる。
【００２５】
タイトフレームＢは、図５（ａ）〜（ｅ）に示すように、従来より屋根材の施工の際に用いられているものであって、鋼製などの金属製で厚さ２〜５ｍｍ程度の帯材を折り曲げ加工等することによって、複数の支持山部１２とフレーム谷部１３とが交互に繰り返すように形成されるものである。支持山部１２は頂部１２ａと頂部１２ａの両端部から外側方の斜め下方に向かって傾斜する脚部１２ｂとで構成されており、頂部１２ａの略半分は凹部１４として形成されていると共に脚部１２ｂにはリブ１５が突設されている。リブ１５は脚部１２ｂの幅方向（短手方向）の略中央部に脚部１２ｂの裏面に突出して形成されている。また、リブ１５は脚部１２ｂの上部から下部にわたって形成されている。また、リブ１５は脚部１２ｂに表面からプレス加工等を施すことにより形成されるものであり、従って、脚部１２ｂの表面にはリブ１５の表面を底面及び側面とする溝状の凹所１２ｃが設けられている。凹所１２ｃはリブ１５と同様に脚部１２ｂの上部から下部にわたって形成されている。また、凹所１２ｃの底面には係止部材１１を取り付けるための固定具２５が止着される止着孔１２ｄを設けることができる。また、凹部１４の底面にはボルトなどの吊子固定具１６が設けられている。
【００２６】
図６（ａ）〜（ｅ）に示すように、吊子６は、吊子本体６ａと押さえ具６ｂとを備えて形成されている。吊子本体６ａは鋼製などの金属製で厚さ１〜５ｍｍ程度の鋼板を折り曲げ加工等することによって形成されるものであって、固着片１８の一側端に立ち上げ片１９が設けられると共に立ち上げ片１９の上端に断面略倒Ｌ字状の係着片２０が固着片１８と反対側に突出して設けられ、さらに、固着片１８の他側端に挟持片２１が上側に突出して形成されている。また、押さえ具６ｂは鋼製などの金属製で厚さ１〜５ｍｍ程度の帯材を折り曲げ加工等することによって形成されるものであって、基板部２２の両端に支持部２３が上側に突出して形成されている。そして、押さえ具６ｂは固着片１８の上側で立ち上げ片１９と挟持片２１の間に装着されて吊子本体６ａと一体に取り付けられている。また、固着片１８と基板部２２を貫通する装着孔２４が設けられている。
【００２７】
そして、本発明の係止部材１１と上記のタイトフレームＢ及び吊子６を用いて上記の屋根材Ａを施工するにあたっては以下のようにして行う。
【００２８】
まず、タイトフレームＢに係止部材１１及び吊子６を取り付ける。係止部材１１はタイトフレームＢの脚部１２ｂの表面（外側面）に取り付けて固定することができる。この場合、固定孔１７からビス等の固定具２５を差し込んで脚部１２ｂの止着孔１２ｄに螺着すると共に上固定片１１ａと下固定片１１ｂとを脚部１２ｂに溶接接合をすることによって、上固定片１１ａと下固定片１１ｂとを脚部１２ｂに固着する。このようにしてタイトフレームＢの脚部１２ｂの下部（被係止部３と対応する位置）の表面に係止部４が突設される。ここで、上係止部４ａの先端はその基部よりも下方に位置し、下係止部４ｂの先端もその基部よりも下方に位置した状態で係止部材１１がタイトフレームＢに取り付けられる。また、上固定片１１ａと下固定片１１ｂの裏面に突設した補強部１１ｃは、凹所１２ｃに収容されて凹所１２ｃの長手山部半体に係止されるものである。従って、係止部材１１は固定具２５による固定に加えて、凹所１２ｃにより補強部１１ｃを係止することができ、脚部１２ｂの幅方向における係止部材１１の移動を規制することができるものである。また、係止部材１１の脚部１２ｂへの位置決めを容易に行うことができるものである。
【００２９】
吊子６は凹部１４に取り付けられる。この場合、吊子６の装着孔２４に吊子固定具１６を下側から差し込んだ後、吊子固定具１６にナット等の締結具２６を螺着することによって、基板部２２と固着片１８とを凹部１４の底面に固定する。また、吊子６は、立ち上げ片１９が頂部１２ａの幅方向の略中央に位置するようにして取り付ける。吊子６をタイトフレームＢに取り付けると、係着片２０の長手方向がタイトフレームＢの長手方向と直交する状態となる。
【００３０】
次に、係止部材１１と吊子６とを設けたタイトフレームＢを、そのフレーム谷部１３を梁や母屋などの屋根下地３０に溶接接合等することによって、固着する。この場合、タイトフレームＢはその長手方向（複数の支持山部１２が並ぶ方向）が屋根の傾斜方向と直交するように取り付ける。また、複数のタイトフレームＢを屋根の傾斜方向と平行な方向に並べて取り付ける。次に、図７に示すように、屋根材ＡをタイトフレームＢに上側から被せて取り付ける。この場合、屋根材Ａの長手方向が屋根の傾斜方向と平行となるように配置し、屋根の傾斜方向に並ぶ複数のタイトフレームＢに屋根材Ａが架け渡されるようにする。また、屋根材Ａを屋根の傾斜方向と直交する方向で隣り合う支持山部１２、１２の間に配置した後、谷部１を踏み込むなどして下方に向けて押圧することにより、補強リブ部５を支点としてバネ片部２ｂが上方に向かって弾性変形し、さらに谷部１を下方に向けて押圧すると、被係止部３が係止部４の先部を上から下へと乗り越えることになる。この結果、バネ片部２ｂが弾性力により復元して、図８に示すように、係止部４の下係止部４ｂの下側（下面）に被係止部３が弾性的に係止されることになる。また、一方の山部半体２の下ハゼ部２ｅを一方の支持山部１２に設けた吊子６の係着片２０の下側に嵌め込んで係止すると共に、他方の山部半体２の上ハゼ部２ｆを他方の支持山部１２に設けた吊子６の係着片２０の上側に被せる。
【００３１】
このようにして複数の屋根材Ａを屋根の傾斜方向（水流れ方向）と直交する方向に並べて配置した後、隣接する屋根材Ａ、Ａの上ハゼ部２ｆと下ハゼ部２ｅとをシーマ機などのハゼ締め機でハゼ締めにより結合する。この場合、一方の屋根材Ａの上ハゼ部２ｆを他方の屋根材Ａの下ハゼ部２ｅの上に被せた状態で、上ハゼ部２ｆの先端及び吊子６の係着片２０を上側に折り曲げるようにし、これにより、上ハゼ部２ｆと下ハゼ部２ｅと係着片２０とを屋根材Ａの長手方向の全長にわたって締め付けて結合する。尚、ハゼ締め機によるハゼ締めの前に、屋根材Ａの仮葺き時にプライヤー型の手動工具（通称「手ガチャ」）により仮締めしても良い。このようにして複数の屋根材Ａを接続することによって、図９に示すような折板屋根を形成することができる。この折板屋根は、山部半体２、２の連結により形成される山部４２と、谷部１とが交互に連なったものとなる。
【００３２】
そして、上記のように屋根材Ａを取り付けた場合、山部半体２が係止部４による係止と吊子６による結合とで強固に屋根材Ａを保持することができ、風荷重、特に負荷重に対して優れた屋根耐力を発揮するものである。
【００３３】
本発明の係止部材１１は、上係止部４ａの先端はその基部よりも下方に位置し、下係止部４ｂの先端もその基部よりも下方に位置した状態で係止部材１１がタイトフレームＢに取り付けられるので、係止部４の先端は屋根材Ａに対して抜け方向（上方向）ではなく、止め方向（下方向）に向く角度に形成されるものであり、被係止部３を係止部４の先端で充分に抑えつけることができ、屋根材Ａを強固に係止して固定することができる。また、上係止部４ａの上面にリブ部４ｃを突設したので、上係止部４ａの撓みを防止するなどして係止部材１１の強度を向上させることができ、屋根材Ａの被係止部３を係止部４に係止させる際の施工性を向上させることができる。また、上係止部４ａと下係止部４ｂとの境界Ｍ、すなわち、係止部４の先部の表面をアール加工によるアール面Ｒに形成したので、屋根材Ａの被係止部３を係止部４の上係止部４ａの上側から下係止部４ｂの下側にまで移動させる際に、被係止部３をアール面Ｒで滑動させることができ、係止部３がスムーズに係止部４の先部（上係止部４ａと下係止部４ｂとの境界Ｍの部分）を乗り越えることになって屋根材Ａの施工性を向上させることができ、また、屋根材Ａに裏張り断熱材４０を設けた場合であっても、アール面Ｒにより裏張り断熱材４０の破れや傷付きを防止することができる。また、凹所１２ｃに補強部１１ｃをほとんど隙間なく嵌め込んだ状態で係止部材１１をタイトフレームＢに固定具２５により固定するので、凹所１２ｃで補強部１１ｃが係止されて、一年中起こる屋根材Ａの熱伸縮による横滑り現象（屋根材Ａが太陽熱等により長手方向（水流れ方向）で伸縮する現象）で、係止部材１１が倒れたり抜け落ちたりするのを防止することができるものである。すなわち、固定具２５の強度だけでなく、凹所１２ｃと補強部１１ｃとの係止により固定具２５への負担や疲労破壊の軽減を図ることができるものである。また、凹所１２ｃに補強部１１ｃを嵌め込むことにより係止部材１１の位置決めを容易に行うことができ、係止部材１１のタイトフレームＢへの取り付けを容易に行うことができるものである。
【００３４】
また、本発明は屋根の葺き替えにも用いることができる。すなわち、図１０（ａ）に示すような屋根から既存の屋根材３１を剥がして除去し、図１０（ｂ）に示すように、既存のタイトフレームＢを露出させる。このタイトフレームＢには既存の吊子６が設けられているため、図１０（ｃ）に示すように、タイトフレームＢの脚部１２の外側面に係止部材１１を取り付ける。この後、上記と同様に、本発明の屋根材ＡをタイトフレームＢに取り付けることによって、図１０（ｄ）に示すように、新規な屋根を形成することができる。このように本発明では屋根の改修を容易に行うことができるものである。
【００３５】
尚、上記では吊子６を用いた例を説明したが、係止部４と被係止部３との係止により屋根材Ａの取り付け強度が充分な場合は、吊子６を特に用いなくても良い。また、上記ではタイトフレームＢと吊子６をそれぞれ別の部材で形成したが、これに限らず、タイトフレームＢと吊子６とを一体に形成することができる。
【００３６】
図１１に本発明の他の実施の形態の一例を示す。この係止部材１１は図１のものと対比して、リブ部４ｃと補強部１１ｃとが形成されておらず、その他の構成は図１のものと同様である。このようにリブ部４ｃは必要に応じて形成されるものであり、係止部材１１の強度が充分な場合は不要である。また、補強部１１ｃも必要に応じて形成されるものであり、固定孔１７の強度が充分な場合は不要である。特に、既存の屋根を改修する場合には、上記のように既存のタイトフレームＢを用いるが、このタイトフレームＢに凹所１２ｃが形成されていない場合は、補強部１１ｃが脚部１２の表面に当接して係止部材１１を安定して固定することができない場合がある。そこで、補強部１１ｃを形成しないことにより、上固定片１１ａ及び下固定片１１ｂの裏面を脚部１２の表面に当接させて係止部材１１を安定して固定することができる。
【符号の説明】
【００３７】
Ａ  屋根材
Ｂ  タイトフレーム
Ｍ  境界
Ｒ  アール面
１  谷部
２  山部半体
３  被係止部
４ａ  上係止部
４ｂ  下係止部
４ｃ  リブ部
１１  係止部材
１１ａ  上固定片
１１ｂ  下固定片
１１ｃ  補強部
１２ｂ  脚部
１２ｃ  凹所
１７  固定孔
２５  固定具
【図１】
2011153487.tif 000003
【図２】
2011153487.tif 000004
【図３】
2011153487.tif 000005
【図４】
2011153487.tif 000006
【図５】
2011153487.tif 000007
【図６】
2011153487.tif 000008
【図７】
2011153487.tif 000009
【図８】
2011153487.tif 000010
【図９】
2011153487.tif 000011
【図１０】
2011153487.tif 000012
【図１１】
2011153487.tif 000013
【図１２】
2011153487.tif 000014
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
両側の山部半体と山部半体の間の谷部とを有する折板屋根の構成用の屋根材をタイトフレームに取り付けるため、タイトフレームの脚部の表面に取り付けられる係止部材であって、
上係止部と屋根材の山部半体の裏面に突設した被係止部が係止される下係止部とから断面Ｖ字状に形成され、上係止部と下係止部との境界がアール面に形成され、
上係止部に上固定片が、下係止部に下固定片がそれぞれ設けられ、
固定具が挿入される固定孔が上固定片及び下固定片に形成され、
タイトフレームの脚部の表面に設けられた凹所に挿入される補強部が固定孔の周囲に形成されていることを特徴とする屋根材の係止部材。
【請求項２】
上係止部の基部から先端部に向かって長く形成されたリブ部が上係止部の上面に突設されて成ることを特徴とする請求項１に記載の屋根材の係止部材。
【請求項３】
請求項１又は請求項２のいずれかに記載の係止部材がタイトフレームの脚部の表面に設けられ、屋根材の山部半体の裏面に突設した被係止部がアール面を滑動しながら下係止部の下側に位置されて係止されて成ることを特徴とする屋根材の施工構造。
【手続補正２】
【補正対象書類名】明細書
【補正対象項目名】０００７
【補正方法】変更
【補正の内容】
【０００７】
本発明の請求項１に係る屋根材Ａの係止部材１１は、両側の山部半体２と山部半体２の間の谷部１とを有する折板屋根の構成用の屋根材ＡをタイトフレームＢに取り付けるため、タイトフレームＢの脚部１２ｂの表面に取り付けられる係止部材１１であって、上係止部４ａと屋根材Ａの山部半体２の裏面に突設した被係止部３が係止される下係止部４ｂとから断面Ｖ字状に形成され、上係止部４ａと下係止部４ｂとの境界Ｍがアール面Ｒに形成され、上係止部４ａに上固定片１１ａが、下係止部４ｂに下固定片１１ｂがそれぞれ設けられ、固定具２５が挿入される固定孔１７が上固定片１１ａ及び下固定片１１ｂに形成され、タイトフレームＢの脚部１２ｂの表面に設けられた凹所１２ｃに挿入される補強部１１ｃが固定孔１７の周囲に形成されていることを特徴とするものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明の請求項３に係る屋根材Ａの施工構造は、請求項１又は請求項２のいずれかに記載の係止部材１１がタイトフレームＢの脚部１２ｂの表面に設けられ、屋根材Ａの山部半体２の裏面に突設した被係止部３がアール面Ｒを滑動しながら下係止部４ｂの下側に位置されて係止されて成ることを特徴とするものである。
【手続補正５】
【補正対象書類名】明細書
【補正対象項目名】００１１
【補正方法】変更
【補正の内容】
【００１１】
請求項１の発明では、屋根材の被係止部をアール面で滑動しながら下係止部の下側に位置させることができ、被係止部が係止部材を乗り越える際の労力を少なくすることができて屋根材の施工が行いやすくなるものである。また、屋根材の被係止部はアール面をスムーズに滑動するため、屋根材に裏張り断熱材が設けられていてもその破損を防止することができ、断熱性能の低下を防止することができるものである。
また補強部で固定孔を補強することができ、風圧などの圧力がかかっても固定孔の変形や破損を防止してタイトフレームに強固に取り付けることができるものであり、しかも、補強部を凹所に係止することにより、タイトフレームへの取り付けの際の位置決めや屋根材の伸縮による転倒や抜け落ちを防止することができ、屋根材をタイトフレームに強固に取り付けることができるものである。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
請求項３の発明では、屋根材の被係止部をアール面で滑動しながら下係止部の下側に位置させることができ、被係止部が係止部材を乗り越える際の労力を少なくすることができて屋根材の施工が行いやすくなるものである。また、屋根材の被係止部はアール面をスムーズに滑動するため、屋根材に裏張り断熱材が設けられていてもその破損を防止することができ、断熱性能の低下を防止することができるものである。